(57)【要約】【課題】腕を動かしやすいように脇下に余裕を持たせたジャケットについて、脇下の体裁をよくし、縫製を容易とする。【解決手段】ジャケット１の胴体１０の脇身頃１３を、前脇身頃１３ａと、後脇身頃１３ｂと、中脇身頃１３ｃと、から形成し、袖２０の内袖２２と、この中脇身頃１３ｃとを、一枚続きの布片３０により一体に構成する。布片３０の長さを適宜調整することで、脇下に余裕を持たせることができる。脇下の縫い目が少ないため体裁がよく、ジャケット１の縫製も容易である。【選択図】図1
0003173553.tif 000002
【実用新案登録請求の範囲】
【請求項１】
胴体１０と、両方の袖２０と、からなり、
前記胴体１０は、胴体の正面となる左右一対の前身頃１１と、胴体の背面となる左右一対の後身頃１２と、胴体の両側面となる左右一対の脇身頃１３と、を縫い合わせて形成されており、
前記各袖２０は、袖の外側となる外袖２１と、袖の内側となる内袖２２と、を円筒形に縫い合わせて形成されており、
前記胴体１０の各脇身頃１３は、前身頃１１に隣接する前脇身頃１３ａと、後身頃１２に隣接する後脇身頃１３ｂと、前記前脇身頃１３ａと後脇身頃１３ｂの間に位置する中脇身頃１３ｃと、を縫い合わせて形成されており、
前記袖２０の内袖２２と、前記脇身頃１３の中脇身頃１３ｃとは、一枚続きの布片３０により一体に構成されているジャケット。
【請求項２】
前記一枚続きの布片３０の、前記内袖２２と前記中脇身頃１３ｃとの境界箇所にダーツ３１が設けられている請求項１に記載のジャケット。
【考案の詳細な説明】
【技術分野】
【０００１】
本考案は、ジャケットに関する。
【背景技術】
【０００２】
図３および図４に示すように、従来の一般的なジャケット２（以下、本明細書では、袖付き前開きタイプの上着の総称を意味する）は、その胴体１０は、正面となる左右一対の前身頃１１、背面となる左右一対の後身頃１２、側面となる左右一対の脇身頃１３を縫い合わせることで形成されている。また、その袖２０は、外側の外袖２１と内側の内袖２２とを円筒形に縫い合わせる事で形成されている。そして、胴体１０と袖２０とは、胴体１０の左右に開口するアームホールに、袖２０を縫いつけることで一体化されている。
【０００３】
この種のジャケット２は、胴体１０と袖２０の間の脇下箇所が窮屈であるため、腕が袖に拘束されて動かしにくい。また、腕を上げると袖２０につられて胴体１０の身頃１１、１２、１３の一部が持ち上がってしまうため、着崩れして体裁も悪い問題があった。
【０００４】
そこで特許文献１のように、脇下個所の胴体の脇身頃と袖の内袖の間に、脇下マチ片を介在させて縫い合わせ、胴体と袖の間に余裕を持たせることにより、腕を動きやすくさせたジャケットも考案されている。
【先行技術文献】
【特許文献】
【０００５】
【特許文献１】特開２００４−２３８７４３号公報
【考案の概要】
【考案が解決しようとする課題】
【０００６】
しかし、このように別体の脇下マチ片を新たに準備して、脇身頃と内袖の間に縫い付けるのは工程が増えて手間がかかるし、また縫い目箇所が増えて腕を上げた場合の見た目も悪い。
とくに、脇下マチ片によりジャケットの脇下がだぶついたように見える場合には、いっそう見た目が悪い。
【０００７】
そこで本考案の解決すべき課題は、腕を動かしやすいように脇下に余裕を持たせたジャケットについて、脇下の体裁をよくし、また縫製を容易とすることである。
【課題を解決するための手段】
【０００８】
上記した課題を解決するため、本考案のジャケットを、その胴体の脇身頃が、前身頃に隣接する前脇身頃と、後身頃に隣接する後脇身頃と、前脇身頃と後脇身頃の間に位置する中脇身頃と、を縫い合わせて形成され、その袖の内袖と、前記脇身頃の中脇身頃とは、一枚続きの布片により一体に構成したのである。
【０００９】
また本考案のジャケットは、前記一枚続きの布片の、前記内袖と前記中脇身頃との境界箇所にダーツが設けられているのが好ましい。
【考案の効果】
【００１０】
本考案のジャケットは、内袖と中脇身頃が一枚続きであるため、その一枚続きの布片の長さを適宜調整することで、脇下に余裕を持たせることが可能である。
また別体の脇下マチ片を用いる場合に比べて、脇下の縫い目が少ないため体裁がよく、ジャケットの縫製も容易である。
【００１１】
さらに一枚続きの布片の、前記内袖と前記中脇身頃との境界箇所にダーツを設けて、脇下の過剰に余ったマチを摘んでおくと、脇下マチ片を用いた場合にように脇下がだぶつくことがなく、いっそう体裁がよい。
【図面の簡単な説明】
【００１２】
【図１】実施形態のジャケットの（ａ）は正面斜視図、（ｂ）は背面斜視図
【図２】実施形態のジャケットの展開図
【図３】従来のジャケットの（ａ）は正面斜視図、（ｂ）は背面斜視図
【図４】従来のジャケットの展開図
【考案を実施するための形態】
【００１３】
以下、図面を参照しつつ本考案の実施形態について説明する。
図１および図２に示す実施形態のジャケット１は、胴体１０の側面から袖２０の内側にかけての特殊な構造により、脇下に余裕を持たせて腕を動かしやすく、また腕を上げた場合にも胴体が持ち上がらず着崩れしにくいものとなっている。
【００１４】
このジャケット１は、略多角形の布片からなる複数のパーツを縫い合わせてなる胴体１０と、同じく略多角形の布片からなる複数のパーツを縫い合わせてなる両方の袖２０と、から構成されている。
なお、以下、布片の生地の種類、縫い糸の種類、ボタンなどの付属品の有無や種類については、特に限定されないものとする。
【００１５】
図１および図２のように、胴体１０は、胴体の正面を構成する左右一対の前身頃１１と、胴体の背面を構成する左右一対の後身頃１２と、胴体の両側面を構成する左右一対の脇身頃１３と、から縫製されている。
ここで、前身頃１１と後身頃１２については、従来のジャケットとほぼ同様のものが用いられている。図では、一例として女性用のジャケット１を示しており、前身頃１１の胸部に相当する上部の幅広箇所には胸ダーツ１１ａが、後身頃１２の肩部に相当する上部の幅広箇所には肩ダーツ１２ａが、それぞれ施されて、ボディラインが綺麗に見えるようになっている。
左右の前身頃１１同士は縫い合わされず、ボタン等により着脱可能になっており、左右の後身頃１２同士は縫い合わされている。
【００１６】
また図１および図２のように、各袖２０は、袖の外側を構成する外袖２１と、袖の内側を構成する内袖２２の２パーツからなり、これらを縫い合わせることで形成されている。
ここで、外袖２１については、従来のジャケットとほぼ同様のものが用いられている。
【００１７】
さらに詳しくは、胴体の脇身頃１３は、前身頃１１に縫い合わされる前脇身頃１３ａと、後身頃１２に縫い合わされる後脇身頃１３ｂと、前脇身頃１３ａと後脇身頃１３ｂの間にあってこれらに縫い合わせられる中脇身頃１３ｃの、３パーツから構成される。
ここで、いわゆる四面体タイプの従来のジャケットにおいては、その脇身頃は前脇身頃と後脇身頃の２パーツからなるが、実施形態のジャケットの前後脇身頃１３ａ、１３ｂはこのような四面体タイプの前後脇身頃よりも、中脇身頃１３ｃがある分だけ幅が狭く形成されている。それ以外の点については、実施形態の前後脇身頃１３ａ、１３ｂは四面体タイプの従来の前後脇身頃と、ほぼ同様である。
【００１８】
さらに実施形態のジャケット１は、胴体の中脇身頃１３ｃと、袖の内袖２２とが、一続きの細長い短冊状の布片３０から一体に構成されている。換言すれば、中脇身頃１３ｃと内袖２２とは同一パーツから構成されている。
この布片３０の長さは、従来の脇身頃と内袖とが別パーツであったジャケットにおけるその脇身頃と内袖との合計長さより、若干大きくなっている。その目安としては、４ｃｍ程度大きく設計することが好ましい。
さらに、この布片３０の中脇身頃１３ｃと内袖２２との境界箇所、すなわち脇部に相当する箇所には、脇ダーツ３１が施されている。
【００１９】
ここで布片３０の中脇身頃１３ｃと内袖２２とのなす角度は脇ダーツ３１の取り方によって、任意に調整可能であり、原則的には、脇ダーツ３１を少なく取る場合には角度も小さくなり、脇ダーツ３１を多く取る場合には角度も大きくなる。
なお脇ダーツ３１については、縫製作業の簡略化等のために、省略することも可能である。
【００２０】
さらに胴体の前身頃１１と後身頃１２の間に形成されるアームホールに、袖の外袖２１が縫いつけられることで、実施形態のジャケット１は構成されている。
実施形態のジャケット１の構成は以上のようであり、内袖２２と中脇身頃１３ｃを構成する一枚続きの布片３０の長さを調整して、脇下に余裕を持たせることができるため、従来のジャケットと比較して腕が動かしやすい。
また腕を上げた場合に胴体の身頃部分がつられて持ち上がることが少ないので、着崩れがなく体裁がよい。
さらに脇下の過剰に余った箇所は脇ダーツ３１により摘んであるため、脇下がだぶつくことがなく、見た目が綺麗である。
【００２１】
今回開示された実施形態はすべての点で例示であって制限的なものではないと考慮されるべきである。本考案の範囲は実用新案登録請求の範囲によって示され、その範囲内でのすべての修正と変形を含むものであることが意図される。
たとえば、各身頃１１、１２、１３の形状については、男性用、女性用、細身用等に応じて適宜改変可能なものとする。胸ダーツ１１ａ、肩ダーツ１２ａについても、適宜省略可能である。
【符号の説明】
【００２２】
１  実施形態のジャケット
２  従来のジャケット
１０  胴体
１１  前身頃
１１ａ  胸ダーツ
１２  後身頃
１２ａ  肩ダーツ
１３  脇身頃
１３ａ  前脇身頃
１３ｂ  後脇身頃
１３ｃ  中脇身頃
２０  袖
２１  外袖
２２  内袖
３０  布片
３１  脇ダーツ
【図１】
0003173553.tif 000003
【図２】
0003173553.tif 000004
【図３】
0003173553.tif 000005
【図４】
0003173553.tif 000006